(57)【要約】【課題】袋内の液体などの内容物を最後まで安定した流れを保ちながら取り出すことができる収納用袋を、製造時において余分な治具を必要とせず、簡単に製造でき、安価に提供する。【解決手段】袋用シート材料を２つ折りにし、この２つ折りにした辺を１側辺２とし、下端辺３および他側辺４をヒートシールで閉じるとともに、前記１側辺２は上端近傍部を残して他の部分をヒートシールして袋本体１を構成し、袋本体１の上端辺においては袋本体１の中に液状洗剤などの内容物を充填するための充填口６を備え、充填口６以外の他の箇所において凹部７が形成されており、この凹部７に沿うようにヒートシールされており、前記１側辺２における上端近傍部のヒートシールされていない部分５に対向する凹部７のヒートシール部分９にカット用手段として切り込み部８が形成されている。【選択図】図１
0003140172.tif 000002
【実用新案登録請求の範囲】
【請求項１】
袋用シート材料を２つ折りにし、この２つ折りにした辺を１側辺とし、下端辺および他側辺をヒートシールで閉じるとともに、前記１側辺は上端近傍部を残して他の部分をヒートシールして袋本体を構成し、袋本体の上端辺においては袋本体の中に内容物を充填するための充填口を備え、充填口以外の他の箇所において凹部が形成されており、この凹部に沿うようにヒートシールされており、前記１側辺における上端近傍部のヒートシールされていない部分に対向する凹部のヒートシール部分にカット用手段が形成され、このカット用手段から前記１側辺における上端近傍部のヒートシールされていない部分に向ってカットし、内容物取り出し口を形成し得るようにしたことを特徴とする収納用袋。
【請求項２】
凹部はほぼＶ状もしくは凵状であることを特徴とする請求項１記載の収納用袋。
【請求項３】
カット用手段は切り込み部であることを特徴とする請求項１または２記載の収納用袋。
【請求項４】
カット用手段はヒートシール部分のシート材料に微細な孔を無数に開けて形成されていることを特徴とする請求項１または２記載の収納用袋。
【請求項５】
カット用手段はヒートシール部分のシート材料に微細な粒子を混在させて形成されていることを特徴とする請求項１または２記載の収納用袋。
【請求項６】
１側辺における上端近傍部のヒートシールされていない部分に対向する凹部のヒートシール部分の上端に凹部内に突出する摘み片を一体に設けてなることを特徴とする請求項１から請求項５までの何れか１項記載の収納用袋。
【請求項７】
摘み片の下端にカット用の切り込み部を形成してなることを特徴とする請求項６記載の収納用袋。
【考案の詳細な説明】
【技術分野】
【０００１】
本考案は、液状洗剤などの液状内容物や粉状内容物を収納する収納用袋に関するものである。
【背景技術】
【０００２】
従来のこの種収納用袋としては特許文献１に開示されているように、洗剤などの液体を収納可能で鋏などで切り取って液体取り出し口が形成される切り口部を設けた液体収納用袋であって、袋を構成する表裏２枚のシートに前記切り口部にかかる位置でそれぞれ外方に膨らむ膨らみ部を備えたものが知られている。
【０００３】
かかる液体収納用袋の目的は、袋内の液体を最後まで安定した流れを保ちながら取り出せるようにすることである。
特許文献１に開示されている液体収納用袋が上記のような構成であるのは、次のような理由によるものである。即ち、液体収納用袋内の液体を空の容器内に詰め替えるとき、袋の上端の１つの角部を鋏などでカットして液体取り出し口を形成した後、袋を手に持って袋を傾けながら作業を行なっており、袋内部の液量が多いときは袋内部への空気の流入（置換）が不足しても液体取り出し口から液体が勢いよく流れ出るが、袋内部の液量が少なくなると袋内部への空気の流入が不足して液体取り出し口の内面同士が密着した状態になり、数箇所の細い口ができて、その数箇所の細い口から方向が定まらない状態で液体が流れ出るため、周りのテーブルや床などを汚すという問題があるからである。
【特許文献１】特開平６−１２７５６０号公報
【考案の開示】
【考案が解決しようとする課題】
【０００４】
特許文献１に開示されている液体収納用袋では、袋を構成する表裏２枚のシートに切り口部にかかる位置でそれぞれ外方に膨らむ膨らみ部を備えてあるので、液体取り出し口の内面同士が密着した状態とならず、袋内の液体を最後まで安定した流れを保ちながら取り出すことができるものであるが、袋の製造過程において膨らみ部を形成するための治具を別途必要とし、この治具を２枚のシート間に挿入しなければならないなどにより、製造コストが高くなるという問題があった。
【０００５】
本考案の目的は、このような課題を解決するものであり、袋内の液体などの内容物を最後まで安定した流れを保ちながら取り出すことができる収納用袋を、製造時において余分な治具を必要とせず、簡単に製造でき、安価に提供できるようにすることにある。
【課題を解決するための手段】
【０００６】
本考案の請求項１に記載の収納用袋は、袋用シート材料を２つ折りにし、この２つ折りにした辺を１側辺とし、下端辺および他側辺をヒートシールで閉じるとともに、前記１側辺は上端近傍部を残して他の部分をヒートシールして袋本体を構成し、袋本体の上端辺においては袋本体の中に内容物を充填するための充填口を備え、充填口以外の他の箇所において凹部が形成されており、この凹部に沿うようにヒートシールされており、前記１側辺における上端近傍部のヒートシールされていない部分に対向する凹部のヒートシール部分にカット用手段が形成され、このカット用手段から前記１側辺における上端近傍部のヒートシールされていない部分に向ってカットし、内容物取り出し口を形成し得るようにしたことを特徴とする。
【０００７】
請求項２に記載の収納用袋は、凹部はほぼＶ状もしくは凵状であることを特徴とする。
請求項３に記載の収納用袋は、カット用手段は切り込み部であることを特徴とする。
請求項４に記載の収納用袋は、カット用手段はヒートシール部分のシート材料に微細な孔を無数に開けて形成されていることを特徴とする。
【０００８】
請求項５に記載の収納用袋は、カット用手段はヒートシール部分のシート材料に微細な粒子を混在させて形成されていることを特徴とする。
請求項６に記載の収納用袋は、１側辺における上端近傍部のヒートシールされていない部分に対向する凹部のヒートシール部分の上端に凹部内に突出する摘み片を一体に設けてなることを特徴とする。
【０００９】
請求項７に記載の収納用袋は、摘み片の下端にカット用の切り込み部を形成してなることを特徴とする。
【考案の効果】
【００１０】
以上のように、本考案の収納用袋は、１側辺の上端近傍部にヒートシールされていない部分を備え、このヒートシールされていない部分に対向する凹部のヒートシール部分にカット用の切り込み部が形成されている構成により、液体などの内容物が収納された袋を購入後、切り込み部から前記ヒートシールされていない部分に向って切り込み部の形成部分より上側をカットすることにより内容物取り出し口が形成されるようになっており、内容物が収納された袋を傾けて内容物を取り出すとき、前記ヒートシールされていない部分側が下に位置し、このヒートシールされていない部分の開口する縁より内容物が流れ出ることになる。このとき、ヒートシールされていない部分は袋の表側および裏側のシートの内面同士が密着しにくくなり、内容物がスムーズに流れ出ることになる。そして、本考案の収納用袋は前記従来のような製造時において余分な治具を必要とせず、簡単に製造でき、袋内の内容物を最後まで安定した流れを保ちながら取り出すことができる収納用袋を安価に提供できる。なお、２つ折りにした１側辺において上端近傍部を残して他の部分をヒートシールしているのは、１側辺全長に亘ってヒートシールしないままにしておくと、２つ折り部に傷が付いて傷口から内容物が漏れ出すことがあるので、１側辺における上端近傍部のヒートシールされない最小必要部分以外においてヒートシールしているのである。
【考案を実施するための最良の形態】
【００１１】
以下、本考案の実施の形態を、図面を用いて具体的に説明する。
先ず、図１〜図３に示す第１の実施の形態について説明すると、１は袋用シート材料を２つ折りにし、この２つ折りにした辺を１側辺２とし、下端辺３および他側辺４をヒートシールで閉じるとともに、前記１側辺２は上端近傍部を残して他の部分をヒートシールしてなる袋本体である。５は前記１側辺２における上端近傍部のヒートシールされていない部分である。前記袋本体１のシート材料は袋本体１の内面となる部分がヒートシールに合うようにポリエチレンなどの比較的融点の低い材料で構成され、この内面に重なる他の層が内面の層の材料よりも融点の高い合成樹脂やアルミニウムなどの金属薄膜などの材料で構成された積層シートが使用されている。そして、袋本体１の上端辺においては袋本体１の中に液状洗剤などの内容物を充填するための充填口６を残して他の部分はヒートシールで閉じられるのであるが、本実施の形態では充填口６以外の他の箇所においてほぼＶ状の深さ数ｃｍ程度の凹部７が形成されており、勿論この凹部７に沿うようにヒートシールされているものである。８は前記１側辺２における上端近傍部のヒートシールされていない部分５に対向する凹部７のヒートシール部分９にカット用手段として形成された切り込み部で、内容物が収納された袋を購入後、この切り込み部８から前記１側辺２における上端近傍部のヒートシールされていない部分５に向って切り込み部８の形成部分より上側をカットし、内容物取り出し口を形成し得るようになっている。なお、図面に示す実施の形態では切り込み部８は−状（ノッチ状）に形成されているが、横向きのＶ状あるいは横向きのＵ状などであっても良い。袋本体１には前述のように上端辺に充填口６が形成されており、この充填口６より袋本体１の中に液状洗剤などの内容物が充填され、その後最終的に充填口６がヒートシールにより閉じられるものである。
【００１２】
図１に液状洗剤などの内容物が袋本体１に充填される前の状態を示し、図２に液状洗剤などの内容物が袋本体１に充填され充填口６がヒートシールにより閉じられた後の状態を示している。図からも明らかなように液体充填後の袋は４方がヒートシールされた形態を呈している。そして、内容物が収納された袋から内容物を取り出すために、前記切り込み部８から前記１側辺２における上端近傍部のヒートシールされていない部分５に向って切り込み部８の形成部分より上側をカットして内容物取り出し口１０を形成するときの状態を図３に示している。
【００１３】
ところで、前記凹部７の形状は前記ヒートシール部分９が傾斜するほぼＶ状であるが、図４に示す第２の実施の形態のように前記ヒートシール部分９が１側辺２および他側辺４に対し平行な状態のほぼＶ状の凹部７とすることも可能であり、また、図５に示す第３の実施の形態のように図４に示す実施の形態のヒートシール部分９の上端に凹部７内に突出する摘み片１１を一体に設け、この摘み片１１の下端に前記切り込み部８を形成することも可能である。この摘み片１１を一体に設けること、この摘み片１１の下端に前記切り込み部８を形成することは前記第１の実施の形態にも応用できるものである。さらには、図６に示す第４の実施の形態のように凹部７の形状を凵状とすることも可能であり、この第４の実施の形態においてもヒートシール部分９の上端に凹部７内に突出する摘み片１１を一体に設け、この摘み片１１の下端に切り込み部８を形成する考えを応用できるものである。
【００１４】
図７、図８、図９に前記第１の実施の形態の袋本体１とは形が異なる袋本体１に上記の凹部７および切り込み部８を形成した第５、第６、第７の実施の形態を示している。第５の実施の形態の袋本体１は袋本体１の内部に内容物が収納され充填口６がヒートシールにより閉じられた状態において下端を折り曲げることにより自立できるように袋本体１の下部および両側辺２，４のヒートシールの部分に幅の大きな部分を存在させている。第６の実施の形態の袋本体１は所謂合掌袋の形を呈している。さらに、第７の実施の形態の袋本体１は自立可能なスタンディングパウチの形を呈している。何れの形態の袋であっても前記第２〜第４の実施の形態の考えを応用できるものである。
【００１５】
以上、第１〜第７の実施の形態について述べたが、重要な点は１側辺２の上端近傍部にヒートシールされていない部分５を備えていること、このヒートシールされていない部分５に対向する凹部７のヒートシール部分９に切り込み部８が形成されていることである。従って、このような構成により、内容物が収納された袋を購入後、切り込み部８から前記ヒートシールされていない部分５に向って切り込み部８の形成部分より上側をカットすることにより内容物取り出し口１０が形成されるようになっており、内容物が収納された袋を傾けて内容物を取り出すとき、前記ヒートシールされていない部分５側が下に位置し、このヒートシールされていない部分５の開口する縁より内容物が流れ出ることになる。このとき、ヒートシールされていない部分５は袋の表側および裏側のシートの内面同士が密着しにくくなり、内容物がスムーズに流れ出ることになる。仮に切り込み部８によりカットされる１側辺２の部分がヒートシールされているとすると、袋を傾けて内容物を取り出すとき、特に袋内の内容物の量が少なくなるとカットされた内容物取り出し口位置での下に向くヒートシール部分での袋の表側および裏側のシートの内面同士が密着し容物物がスムーズに流れ出にくいという問題がある。そのような問題をなくすために上記実施の形態では１側辺２の上端近傍部にヒートシールされていない部分５を備え、このヒートシールされていない部分５に対向する凹部７のヒートシール部分９に切り込み部８を形成したのである。
【００１６】
ところで、以上述べた実施の形態ではヒートシールされていない部分５に対向する凹部７のヒートシール部分９にカット用手段として切り込み部８が形成されているが、カット用手段としてヒートシールされていない部分５に対向する凹部７のヒートシール部分９のシート材料に微細な孔を無数に開けて形成したり、ヒートシールされていない部分５に対向する凹部７のヒートシール部分９のシート材料に微細な粒子を混在させて形成することも可能である。この場合も、ヒートシール部分９の上端に凹部７内に突出する摘み片を一体に設けるようにしても良い。
【００１７】
さらに、収納用袋の中に収納される内容物としては液状内容物の他、粉状内容物であっても良い。
【図面の簡単な説明】
【００１８】
【図１】本考案の第１の実施の形態の収納用袋を示す正面図である。
【図２】同液状洗剤などの内容物が袋内に充填され充填口が閉じられた状態を示す斜視図である。
【図３】同内容物取り出し口を形成するときの状態を示す斜視図である。
【図４】本考案の第２の実施の形態の収納用袋を示す正面図である。
【図５】本考案の第３の実施の形態の収納用袋を示す正面図である。
【図６】本考案の第４の実施の形態の収納用袋を示す正面図である。
【図７】本考案の第５の実施の形態の収納用袋を示す正面図である。
【図８】本考案の第６の実施の形態の収納用袋を示す背面図である。
【図９】本考案の第７の実施の形態の収納用袋を示す正面図である。
【符号の説明】
【００１９】
１    袋本体
２    １側辺
３    下端辺
４    他側辺
５    ヒートシールされていない部分
６    充填口
７    凹部
８    切り込み部
９    ヒートシール部分
１０    内容物取り出し口
１１    摘み片
【図１】
0003140172.tif 000003
【図２】
0003140172.tif 000004
【図３】
0003140172.tif 000005
【図４】
0003140172.tif 000006
【図５】
0003140172.tif 000007
【図６】
0003140172.tif 000008
【図７】
0003140172.tif 000009
【図８】
0003140172.tif 000010
【図９】
0003140172.tif 000011